(57)【要約】      （修正有）【課題】加工刃の移動に適確に対応し、加工によって発生したヒュームを適確に捕集する集塵機用ダクト装置を提供する。【解決手段】排気口が集塵機の吸込み口に接続し固定配設した固定ダクト２と、加工刃用回転手段の上部に固着されて水平方向へ移動可能でその側面および下面に開口部のある中空体状の連結手段３と、固定ダクト２の吸気口に、その排気口が連通接続し、その吸気口が連結手段３の側面開口部に接続し、水平方向へ伸縮自在に延びる水平伸縮ダクト４と、上端の排気口が連結手段３の下面開口部に接続し、垂直方向へ伸縮自在な連結手段３に垂設し、その下端が加工刃用回転手段の下部に固着された垂直伸縮ダクト５と、垂直伸縮ダクト５の下端に接続され、その先端開口部が加工刃に対向する集塵フード手段６と、を備える。【選択図】図１
2007307622.tif 000002
【特許請求の範囲】
【請求項１】
水平方向および垂直方向へ大きく移動可能な加工刃を備えた大型加工機から、材料の加工によって発生するヒュームを捕集して集塵機に誘導する集塵機用ダクト装置であって、
下部に位置するその排気口が集塵機の吸込み口に連通接続されて固定配設された固定ダクトと、
前記大型加工機の加工刃用回転手段の上部に固着されて水平方向へ移動可能に構成されかつその側面および下面にそれぞれ開口部を有する中空体状の連結手段と、
前記固定ダクトの上部に位置する吸気口に、その排気口が連通接続されその吸気口が前記連結手段の側面開口部に連通接続されかつ水平方向へ伸縮自在に延びる水平伸縮ダクトと、
上端に位置するその排気口が前記連結手段の下面開口部に連通接続され、垂直方向へ伸縮自在にして前記連結手段に垂設されかつその下端が前記大型加工機の加工刃用回転手段の下部に固着された垂直伸縮ダクトと、
この垂直伸縮ダクトの下端にその基端が連通接続されその先端開口部が前記加工刃に対向する集塵フード手段と、  
を備えたことを特徴とする集塵機用ダクト装置。
【請求項２】
請求項1に記載の集塵機用ダクト装置において、
前記集塵フード手段は、
基端が前記垂直伸縮ダクトの下端にそれぞれ連通接続されて水平方向へ延びかつ上下方向へ適当な間隔をおいて配設された複数のダクトと、
これら複数のダクトの先端にそれぞれ装着された複数のフードと、
複数の前記ダクトにそれぞれ装着されたダンパと、
から成り、
複数の前記フードのそれぞれの近傍位置には、前記加工刃を検知する検知手段を配設し、
これら複数の検知手段には制御盤を介して前記ダンパの駆動手段に電気的に接続し、
複数の前記フードには前記加工刃を間において送風手段を対向して配設したことを特徴とする集塵機用ダクト装置。
【請求項３】
請求項1に記載の集塵機用ダクト装置において、
前記集塵フード手段には、この集塵フード手段に向けて送風する送風手段を、前記加工刃を間におき対向させかつ前記集塵フード手段の移動に追従して移動可能に配設したことを特徴とする集塵機用ダクト装置。
【発明の詳細な説明】
【技術分野】
【０００１】
本発明は、集塵機用ダクト装置に係り、より詳しくは、水平方向および垂直方向へ大きく移動可能な加工刃を備えた大型加工機から、材料の加工によって発生するヒュームを捕集して集塵機に誘導する集塵機用ダクト装置に関する。
【背景技術】
【０００２】
従来、材料の加工により発生して材料の周りに飛散する粉塵を除去するようにした装置として、例えば、ハンディタイプの電動工具の回転軸に一般砥粒砥石又は超砥粒砥石とブロアーとが着脱可能でかつ、選択可能に取り付けられ、前記回転軸に前記ブロアーを選択して装着した際に、前記ブロアーの風下側に配設された集塵バッグと、前記ブロアーの風上側に連結ホースを介して配設された集塵ノズルとを備えた電動工具がある。
【特許文献１】特開２００１−１１３４６３号公報
【発明の開示】
【発明が解決しようとする課題】
【０００３】
そこで、水平方向および垂直方向へ大きく移動する加工刃の近傍に装着された集塵フード手段と集塵機とを連通接続するダクト装置に、上述の電動工具の技術を適用することを試みたが、連結ホースが垂れ下がったり、加工刃の回転手段の周りにとぐろを巻くようにして存在したりして、邪魔になる上に、床面に擦られて早期に摩耗するため、適用されていないのが現状である。
【０００４】
本発明は、上記の事情に鑑みてなされたもので、その目的は、水平方向および垂直方向へ大きく移動する加工刃の近傍に装着された集塵フード手段と集塵機とを連通接続するダクトが、垂れ下がったり、加工刃の回転手段の周りにとぐろを巻くようにして存在したりすることなく、集塵フード手段と集塵機とを適確に連通接続することができる集塵機用ダクト装置を提供することにある。
【課題を解決するための手段】
【０００５】
上記の目的を達成するために本発明の集塵機用ダクト装置は、水平方向および垂直方向へ大きく移動可能な加工刃を備えた大型加工機から、材料の加工によって発生するヒュームを捕集して集塵機に誘導する集塵機用ダクト装置であって、下部に位置するその排気口が集塵機の吸込み口に連通接続されて固定配設された固定ダクトと、前記大型加工機の加工刃用回転手段の上部に固着されて水平方向へ移動可能に構成されかつその側面および下面にそれぞれ開口部を有する中空体状の連結手段と、前記固定ダクトの上部に位置する吸気口に、その排気口が連通接続されその吸気口が前記連結手段の側面開口部に連通接続されかつ水平方向へ伸縮自在に延びる水平伸縮ダクトと、上端に位置するその排気口が前記連結手段の下面開口部に連通接続され、垂直方向へ伸縮自在にして前記連結手段に垂設されかつその下端が前記大型加工機の加工刃用回転手段の下部に固着された垂直伸縮ダクトと、この垂直伸縮ダクトの下端にその基端が連通接続されその先端開口部が前記加工刃に対向する集塵フード手段と、を備えたことを特徴とする。
【０００６】
このように構成されたものにおいては、加工刃が水平方向および／または垂直方向へ大きく移動すると、集塵フード手段が加工刃に追従して移動するとともに、集塵フード手段の移動に伴って水平伸縮ダクトおよび／または垂直伸縮ダクトが伸長および／または収縮し、この結果、集塵フード手段は、加工刃の移動に対応しながら集塵機への連通接続を維持されるとともに、加工刃による材料の加工によって発生したヒュームを捕集する。
【発明の効果】
【０００７】
以上の説明から明らかなように本発明は、水平方向および垂直方向へ大きく移動可能な加工刃を備えた大型加工機から、材料の加工によって発生するヒュームを捕集して集塵機に誘導する集塵機用ダクト装置であって、下部に位置するその排気口が集塵機の吸込み口に連通接続されて固定配設された固定ダクトと、前記大型加工機の加工刃用回転手段の上部に固着されて水平方向へ移動可能に構成されかつその側面および下面にそれぞれ開口部を有する中空体状の連結手段と、前記固定ダクトの上部に位置する吸気口に、その排気口が連通接続されその吸気口が前記連結手段の側面開口部に連通接続されかつ水平方向へ伸縮自在に延びる水平伸縮ダクトと、上端に位置するその排気口が前記連結手段の下面開口部に連通接続され、垂直方向へ伸縮自在にして前記連結手段に垂設されかつその下端が前記大型加工機の加工刃用回転手段の下部に固着された垂直伸縮ダクトと、この垂直伸縮ダクトの下端にその基端が連通接続されその先端開口部が前記加工刃に対向する集塵フード手段と、を備えたから、加工刃が水平方向および／または垂直方向へ大きく移動すると、集塵フード手段が加工刃に追従して移動するとともに、集塵フード手段の移動に伴って水平伸縮ダクトおよび／または垂直伸縮ダクトが伸長および／または収縮するため、集塵フード手段と集塵機とを連通接続するダクトが、垂れ下がったり、加工刃の回転手段の周りにとぐろを巻くようにして存在したりすることがなく、しかも、集塵フード手段は、加工刃の移動に適確に対応しながら、ヒュームを確実に捕集することができるなどの優れた実用的効果を奏する。
【発明を実施するための最良の形態】
【０００８】
以下、本発明を適用した集塵機用ダクト装置について図１〜図４に基づき詳細に説明する。図３および図４に示すように、切削する材料を載置する定盤３１の上方に、加工刃としての切削刃３２を回転させる切削刃用回転手段３３を、門型の移動フレーム３４を介して配設して、前記切削刃用回転手段３３を水平方向および垂直方向へ移動可能に構成した大型加工機としての大型切削機３５には、集塵機用ダクト装置１が装着してある。
【０００９】
そして、本集塵機用ダクト装置１は、図１および図２に示すように、下部に位置するその排気口が集塵機（図示せず）の吸込み口に連通接続されて固定配設された固定ダクト２と、前記大型切削機３５の切削刃用回転手段３３の上部に固着されて水平方向へ移動可能に構成されかつその右側面および下面にそれぞれ開口部を有する中空体状の連結手段３と、前記固定ダクト２の上部に位置する吸気口に、その排気口が連通接続されその吸気口が前記連結手段３の右側面開口部に連通接続されかつ水平方向へ伸縮自在に延びる水平伸縮ダクト４と、上端に位置するその排気口が前記連結手段３の下面開口部に連通接続され、垂直方向へ伸縮自在にして前記連結手段３に垂設されかつその下端が前記大型切削機３５の切削刃用回転手段３３の下部に固着された垂直伸縮ダクト５と、この垂直伸縮ダクト５の下端にその基端が連通接続されその先端開口部が前記切削刃３２に対向する集塵フード手段６と、で構成してある。
【００１０】
また、前記水平伸縮ダクト４は、図１に示すように、伸縮自在にして水平方向へ延びる横蛇腹部材７と、前記固定ダクト２の上面左側部と前記連結手段３の上面右側部との間に、バランサー（図示せず）によって常時張った状態を維持可能にして架設されたワイヤロープ８と、上部がワイヤロープ８に環装されかつ下部が前記横蛇腹部材７を保持する複数の横保持部材９・９と、で構成してあって、前記連結手段３が水平方向へ移動すると、複数の前記横保持部材９・９は、前記横蛇腹部材７を保持しながら前記ワイヤロープ８に沿って移動するようになっている。  
【００１１】
また、前記垂直伸縮ダクト５は、前記連結手段３に伸縮自在にして垂設された縦蛇腹部材１０と、前記大型切削機３５の切削刃用回転手段３３に固着されかつ前記縦蛇腹部材１０の下端が装着された環状部材１１と、前記連結手段３に垂設されかつバランサー（図示せず）によって常時張った状態を維持可能にして下端が前記環状部材１１に固着された複数のワイヤロープ１２・１２と、これらのワイヤロープ１２・１２に左右両端部が環装されかつ前記縦蛇腹部材１０に装着された複数の縦保持部材１３・１３と、で構成してあって、前記集塵フード手段６が昇降すると、複数の前記縦保持部材１３・１３は、前記縦蛇腹部材１０を保持しながら前記ワイヤロープ１２・１２に沿って相対的に移動するようになっている。
【００１２】
また、前記集塵フード手段６は、図２に示すように、基端が前記垂直伸縮ダクト５の環状部材１１にＹ字状ダクト１９を介しそれぞれ連通接続されて水平方向へ延びかつ上下方向へ適当な間隔をおいて配設された２個のダクト１４・１４と、これら２個のダクト１４・１４の先端にそれぞれ装着された２個のフード１５・１５と、前記２個のダクト１４・１４にそれぞれ装着されたダンパ１６と、から成り、これら２個のフード１５・１５には前記切削刃３２を間においてこの集塵フード手段に向けて送風する送風手段１７が対向して配設してある。そして、２個のフード１５・１５のそれぞれの近傍には、前記切削刃３２を検知する検知手段１７・１７が配設してあり、検知手段１８・１８は図示しない制御盤を介して前記ダンパ１６・１６の駆動機構にそれぞれ電気的に接続してあって、前記検知手段１８が前記切削刃３２を検知すると、前記ダンパ１６が開くようになっている。
【００１３】
このように構成したものにおいては、大型切削機３５の切削刃３２が水平方向および／または垂直方向へ大きく移動すると、集塵フード手段６が切削刃３２に追従して移動するとともに、集塵フード手段６の移動に伴って水平伸縮ダクト４および／または垂直伸縮ダクト５が伸長および／または収縮し、この結果、集塵フード手段６は、切削刃３２の移動に対応しながら集塵機への連通接続を維持されるとともに、切削刃３２による材料の切削によって発生したヒュームを捕集する。
【００１４】
そして、検知手段１８が切削刃３２を検知した時に、切削刃３２に対向したフード１５のダンパ１６が開かれて、切削ヒュームを効率良くかつ強力に吸引することができる。
【００１５】
なお、上記の実施例では、フード１５および送風手段１７は、２個ずつ設けてあるが、図４に示すように、これらフード１５および送風手段１７を切削刃３２の移動に追従させて移動可能に設けることにより、フード１５および送風手段１７は、それぞれ１個設けるようにしてもよい。
【００１６】
またなお、上記の実施例では、フード１５および送風手段１７は、２個ずつ設けてあるが、集塵機の吸引力によっては、集塵フード手段６としてダクト１４付きのフード１５を１個設けるようにして、送風手段１７を省略してもよい。
【００１７】
またなお、上記の実施例では、大型加工機として大型切削機３５を用いたが、これに限定されるものではなく、例えば、研削刃を備えた大型研削機や、研磨刃を備えた大型研磨機でも同様の作用効果が得られる。
【図面の簡単な説明】
【００１８】
【図１】本発明を適用した集塵機用ダクト装置の正面図である。
【図２】図１の主要部の拡大詳細図である。
【図３】本発明の集塵機用ダクト装置を装着した大型切削機の概略の正面図である。
【図４】他の実施例における図３の右側面図である。
【符号の説明】
【００１９】
２    固定ダクト
３    連結手段
４    水平伸縮ダクト
５    垂直伸縮ダクト
６    集塵フード手段
【図１】
2007307622.tif 000003
【図２】
2007307622.tif 000004
【図３】
2007307622.tif 000005
【図４】
2007307622.tif 000006